(57)【要約】【課題】エプロンに形成される袋の形状を理想的な形状に保持することのできる介護用エプロンを提供する。【解決手段】要介護者Ｍの首回りに吊り下げられて、この要介護者の胸部から大腿部を覆って用いられる介護用エプロン１であって、少なくとも前記要介護者の大腿部を覆う大腿被覆部１ａの周縁部に、所定間隔をおいて折りひだ２を多数形成するとともに、前記大腿被覆部の周縁部を縫い込んで、前記多数の折りひだの縁部を固定することにより、前記大腿被覆部を袋状に形成してなることを特徴とする。【選択図】図１
0003187898.tif 000002
【実用新案登録請求の範囲】
【請求項１】
要介護者の首回りに吊り下げられて、この要介護者の胸部から大腿部を覆って用いられる介護用エプロンであって、少なくとも前記要介護者の大腿部を覆う大腿被覆部の周縁部に、所定間隔をおいて折りひだを多数形成するとともに、前記大腿被覆部の周縁部を縫い込んで、前記多数の折りひだの縁部を固定することにより、前記大腿被覆部を袋状に形成してなることを特徴とする介護用エプロン。
【請求項２】
前記大腿被覆部の周縁部に、この周縁部に形成された前記多数の折りひだの縁部を包み込むように縁布を被せ、この縁布を、前記大腿被覆部の周縁部に縫い込むことにより前記折りひだを固定してなることを特徴とする請求項１に記載の介護用エプロン。
【請求項３】
前記縁布によって、前記大腿被覆部の周縁部に連続空間を形成し、この連続空間に、弾性材料からなる形状保持部材を装着することにより、前記大腿被覆部の開口部形状を固定してなることを特徴とする請求項２に記載の介護用エプロン。
【考案の詳細な説明】
【技術分野】
【０００１】
本考案は、介護用エプロンに係わり、特に、要介護者の飲食時における食べこぼし等を有効に捕獲するようにした介護用エプロンに関するものである。
【背景技術】
【０００２】
要介護者の飲食時には、食材や飲み物をこぼして要介護者自身の衣服や、椅子あるいは床を汚してしまうことが多々あり、介護者にとって、これらの後始末の作業が大きな負担となっている。
【０００３】
このような作業を軽減するために、要介護者にエプロンをかけさせておき、こぼれた食材や飲み物をエプロンで受け止めて、これらの食材や飲み物を前記エプロンとともに要介護者から取り除いて後始末することが行なわれている。
【０００４】
しかしながら、通常のエプロンでは、このエプロンにこぼれた食材がさらに落下してしまうことを防止することができず、有効な解決手段とはなり得ていない。
【０００５】
このような不具合に対応するために、たとえば、特許文献１に示されるような技術が提案されている。
【０００６】
この技術は、エプロンの周縁部に紐を通しておき、この紐をエプロンから引き出すように引いて前記エプロンの周縁部を内側に縮め、これによって、前記エプロンを略袋状に変形させることにより、このエプロンに落下した食材等の更なる落下を防止するようにしたものである。
【先行技術文献】
【特許文献】
【０００７】
【特許文献１】実用新案登録第３１６６３３３号公報
【考案の概要】
【考案が解決しようとする課題】
【０００８】
前述した技術により、エプロンからの食べこぼし等の落下を抑制して、この食べこぼしの処理作業を軽減することができるようになったが、なお，つぎのような改善すべき問題点が残されている。
【０００９】
すなわち、前述した技術では、エプロン周縁部に挿通させた紐を引いて、この周縁部に皺を生じさせるとともに周縁部を立ち上げることによって、前記エプロンを袋状に変形させるようにしているが、前記周縁部の皺を均一にすることが難しく、したがって、形成される袋の形状が一定しないといった問題点である。
【００１０】
また、前記紐とエプロンの周縁部とが固定されていないため、前述した皺の形状を保持することが難しく、これによって、袋状の開口部の形状が崩れやすく不安定であるといった問題点や、前述した立ち上げ部が倒れて袋形状を保持できなくなるといった問題点もある。
【００１１】
そして、これらの問題点の相乗作用により、前記形成される袋の形状が不安定なものとなり、こぼれものを良好に捕獲するための理想的な袋形状を維持できないといった問題を惹起する。
【００１２】
本考案は、前述した従来の問題点に鑑みてなされたもので、エプロンに形成される袋の形状を理想的な形状に保持することのできる介護用エプロンを提供することを解決すべき課題とする。
【課題を解決するための手段】
【００１３】
本考案の介護用エプロンは、前述した問題点を解決するために、要介護者の首回りに吊り下げられて、この要介護者の胸部から大腿部を覆って用いられる介護用エプロンであって、少なくとも前記要介護者の大腿部を覆う大腿被覆部の周縁部に、所定間隔をおいて折りひだを多数形成するとともに、前記大腿被覆部の周縁部を縫い込んで、前記多数の折りひだの縁部を固定することにより、前記大腿被覆部を袋状に形成してなることを特徴としている。
【００１４】
そして、折りひだが固定されていることにより、前記袋の開口部の形状が変形しにくく、かつ、これらの折りひだによって形成される立ち上げ部の倒れが防止され、この結果、前記袋の形状が所定の形状に保持される。
したがって、前記袋の形状を、食べこぼしの捕獲のための理想的な形状に保持することができる。
【００１５】
また、前記大腿被覆部の周縁部に、この周縁部に形成された前記多数の折りひだの縁部を包み込むように縁布を被せ、この縁布を、前記大腿被覆部の周縁部に縫い込むことにより前記折りひだを固定することができる。
【００１６】
このような構成とすることにより、前記縁布を介して、前記折りひだを大腿被覆部の縁部と一体化することにより、前記折りひだの変形をさらに抑制して、前述した袋形状の維持効果を高めることができる。
【００１７】
また、好適には、前記縁布によって、前記大腿被覆部の周縁部に連続空間を形成し、この連続空間に、弾性材料からなる形状保持部材を装着する。
【００１８】
このような構成とすることにより、前記形状保持部材により、前記縁布の不必要な曲がりを防止して、その内側に形成される袋の形状維持効果をさらに高めることができる。
【考案の効果】
【００１９】
このように，本考案の介護用エプロンによれば、要介護者の大腿部を覆う位置に、袋状のエプロンを位置させるとともに、この袋の形状変化を極力防止して、食べこぼしの効果的な捕獲を行なうことができる。
【図面の簡単な説明】
【００２０】
【図１】本考案の一実施形態を示す正面図である。
【図２】本考案の一実施形態を示すもので、縫製過程を示す要部の斜視図である。
【図３】本考案の一実施形態を示すもので、要部の拡大斜視図である。
【図４】本考案の一実施形態を示すもので、使用状態を示す正面図である。
【図５】本考案の一実施形態を示すもので、使用状態を示す斜視図である。
【図６】本考案の一実施形態を示すもので、使用者に装着した状態を示す斜視図である。
【考案を実施するための形態】
【００２１】
以下、本考案の一実施形態を、図面を参照して説明する。
図において符号１は、本実施形態に関わる介護用エプロンを示し、この介護用エプロン１は、この要介護者（Ｍ）の胸部から大腿部（Ｌ）を覆って用いられ、少なくとも前記要介護者Ｍの大腿部Ｌを覆う大腿被覆部１ａの周縁部に、所定間隔をおいて折りひだ２を多数形成するとともに、前記大腿被覆部１ａの周縁部を縫い込んで、前記多数の折りひだ２の縁部を固定することにより、前記大腿被覆部１ａの周縁部を立ち上げて袋状に形成した構成となっている。
【００２２】
さらに詳述すれば、本実施形態においては、前記介護用エプロン１は、撥水処理を施した布が用いられており、上部には、前記要介護者Ｍの首回りに巻き付けられる一対の装着片３が一体に設けられ、これらの装着片３の先端部には、これらの装着片３を接離可能に連結する面ファスナー４が取り付けられている。
【００２３】
そして、これらの装着片３は、図４に示すように、前記面ファスナー４によって環状に連結されて、前記要介護者Ｍの首回りを囲繞するようになされている。
【００２４】
前記大腿被覆部１ａの周縁部に、図２に矢印で示すように、この周縁部に形成された前記多数の折りひだ２の縁部を両面から包み込むように、２つ折りされた縁布５を被せ、この縁布５を、図３に示すように、前記大腿被覆部１ａの周縁部に糸６を用いて縫い込むことにより、前記縁布５を取り付けるとともに前記折りひだ２の縁部を固定している。
【００２５】
本実施形態においては、前記縁布５は前記介護用エプロン１の周縁部全長にわたって取り付けられており、前記介護用エプロン１の糸のほどけ防止と装飾とを兼ねて取り付けられている。
【００２６】
一方、前記縁布５は、少なくとも前記大腿被覆部１ａを取り囲む位置において、図３に示すように、前記介護用エプロン１の周縁部に連続空間Ｗを形成するようになされており、この連続空間Ｗに、弾性材料からなる形状保持部材７が装着されている。
【００２７】
前記形状保持部材７は、好ましくは、軽量で鋭利な部分のないプラスチックワイヤによって形成されるが、安全性が考慮されていれば金属や竹などを用いることも可能であり、その断面形状を平形や丸形等種々変更可能である。
さらに、繊維を編み込んで形成したロープを用いることも可能である。
【００２８】
そして、本実施形態に関わる介護用エプロン１は、図４および図５に示すように、前記大腿被覆部１ａが略水平となり、胸部を覆う部分が略鉛直方向に沿うようにして用いられる。
【００２９】
このような状態において、前記大腿被覆部１ａが上方へ向けて大きく開放された袋状に保持され、この大腿被覆部１ａが、前記胸部を覆う部分と前記装着片３を介して要介護者Ｍの首に装着される。
【００３０】
要介護者Ｍに装着された状態を図６に示す。
この例は、椅子に腰掛けた要介護者Ｍに装着した状態を示しており、前述したように、前記一対の装着片３を、前記要介護者Ｍの首を取り囲むように位置させた後に、その先端部を前記面ファスナー４によって相互に連結することにより、前記要介護者Ｍの前方に吊り下げられている。
【００３１】
そして、前記大腿被覆部１ａは、要介護者Ｍの膝の上に載せられるようにして位置させられ、飲食時に食材や飲み物が要介護者Ｍの口へ運ばれる領域の下方に位置させられている。
【００３２】
ここで、前記大腿被覆部１ａの周縁部に折りひだ２が形成されていることから、これらの折りひだ２の重畳部分によって前記周縁部が立ち上げられて、前記大腿被覆部１ａが、上方に大きく開放された袋状となされ、かつ、前記折りひだ２の縁部が固定されていることにより、これらの折りひだ２がほどけたりすることがなく、この結果、前記袋の形状および前記開口部の形状が崩れたりすることがない。
【００３３】
さらに、本実施形態においては、前記大腿被覆部１ａの周縁部に縁布５を縫い付けて、この周縁部の強度が高められていることから、この周縁部の形状すなわち前記袋の開口部の形状が保持され、この点からも前記袋の形状変化が防止される。
【００３４】
そして、前記縁布５内の連続空間Ｗに形状保持部材７を挿通させておくことにより、前述した大腿被覆部１ａの上部開口部の形状を効果的に、かつ、確実に維持させることができる。
【００３５】
この結果、前記要介護者Ｍの食べこぼしや飲み物のこぼれを確実に捕獲することができる。
【００３６】
捕獲した食べこぼし等を処理するには、前記介護用エプロン１の両装着片３の面ファスナー４の連結を解除して、これらの両装着片３を要介護者Ｍの首から取り外し、一方の手で前記装着片３を掴み、他方の手で前記大腿被覆部１ａを掴んで介護用エプロン１を要介護者Ｍから離し、その後処理場へ運び処理を行なう。
【００３７】
このように本実施形態の介護用エプロン１によれば、要介護者Ｍの飲食に伴う食材や飲み物の移動領域の下部に、上方へ開口した袋を形成し、かつ、その袋の理想的な形状を確実に保持して、食べこぼし等を確実に捕獲することができるとともに、その処理を円滑に行なうことができる。
これによって、介護者の負担を軽減することができる。
【００３８】
なお、前記実施形態において示した各構成部材の諸形状や寸法等は一例であって、設計要求等に基づき種々変更可能である。
【００３９】
たとえば、前記折りひだ２として、タック状のものを示したが、これに代えてギャザー状にすることも可能である。
【符号の説明】
【００４０】
１  介護用エプロン
１ａ  大腿被覆部
２  折りひだ
３  装着片
４  面ファスナー
５  縁布
６  糸
７  形状保持部材
Ｌ  大腿部
Ｍ  要介護者
Ｗ  連続空間
【図１】
0003187898.tif 000003
【図２】
0003187898.tif 000004
【図３】
0003187898.tif 000005
【図４】
0003187898.tif 000006
【図５】
0003187898.tif 000007
【図６】
0003187898.tif 000008